【事件の表示】
　特許第６１９３９３９号に関する訂正審判事件について、次のとおり審決する。
【結　論】
　特許第６１９３９３９号の明細書、特許請求の範囲を本件審判請求書に添付された訂正明細書、特許請求の範囲のとおり訂正することを認める。
【理　由】
１　手続の経緯 
　特許第６１９３９３９号（以下「本件特許」という。）の請求項１に係る発明は、平成２７年９月４日に特願２０１５−１７４５８０号として出願されたものであって、平成２９年８月１８日にその特許権の設定登録がなされ、平成３０年４月１０日に本件訂正審判の請求がなされたものである。
　 
２　請求の趣旨 
　本件審判の請求の趣旨は、本件特許の明細書、特許請求の範囲を審判請求書に添付した訂正明細書、特許請求の範囲のとおり訂正することを認める、との審決を求めるものであり、訂正内容は次のとおりである（以下、本件特許の明細書、及び特許請求の範囲をそれぞれ「願書に添付した明細書」、「本件特許請求の範囲」という。また、下線部が訂正部分である。）。　
　
（１）訂正事項１ 
　本件特許請求の範囲の請求項１における
「前記グループ指定データ記憶領域の値を今回の割込み処理において作成した１単位のデータに更新する前に、」を、
「前記グループ指定データ記憶領域の
値を更新
　
（２）訂正事項２ 
　本件特許請求の範囲の請求項１における
「前記点灯状態指定情報記憶領域に記憶されている前回の割込み処理で記憶した１単位のデータを、消灯状態とする情報に更新することを特徴とするぱちんこ遊技機」を、
「前記点灯状態指定情報記憶領域に記憶されている前回の割込み処理で記憶した１単位のデータを、消灯状態とする情報に更新
して後、今回の割込み処理において作成した１単位のデータに更新
（３）訂正事項３
　願書に添付した明細書の段落【０００５】の
「前記グループ指定データ記憶領域の値を今回の割込み処理において作成した１単位のデータに更新する前に、」を、
「前記グループ指定データ記憶領域の
値を更新
（４）訂正事項４
　願書に添付した明細書の段落【０００５】の
「前記点灯状態指定情報記憶領域に記憶されている前回の割込み処理で記憶した１単位のデータを、消灯状態とする情報に更新することを特徴とするぱちんこ遊技機」を、
「前記点灯状態指定情報記憶領域に記憶されている前回の割込み処理で記憶した１単位のデータを、消灯状態とする情報に更新
して後、今回の割込み処理において作成した１単位のデータに更新
　なお、訂正事項１、２が審判請求書における訂正事項１に相当し、訂正事項３、４が審判請求書における訂正事項２に相当するものである。
３　当審の判断
（１）訂正事項１について
ア　訂正の目的について
　本件特許請求の範囲の請求項１には「前記グループ指定データ記憶領域の値を今回の割込み処理において作成した１単位のデータに更新する前に、前記点灯状態指定情報記憶領域に記憶されている前回の割込み処理で記憶した１単位のデータを、消灯状態とする情報に更新する」と記載されており、「点灯状態指定情報記憶領域」だけでなく「グループ指定データ記憶領域」についても「１単位のデータ」に更新すると特定していたため、「点灯状態指定情報記憶領域」（セグメント出力ポート）と「グループ指定データ記憶領域」（デジットカウンタ）を「１単位のデータ」という同じ値に更新することを含むように解釈されるため、不明瞭となっていた。
　訂正事項１においては、「前記グループ指定データ記憶領域の値を今回の割込み処理において作成した１単位のデータに更新する前に、」を「前記グループ指定データ記憶領域の値を更新する前に、」と訂正することにより、「グループ指定データ記憶領域」の値を「点灯状態指定情報記憶領域」と同じ値に更新することはないことを明瞭にするものであるから、訂正事項１は、特許法第１２６条第１項ただし書き第３号に掲げる、明瞭でない記載の釈明を目的とするものである。
イ　新規事項の有無及び特許請求の範囲の拡張又は変更について
　願書に添付した明細書の段落【０６２８】には「先ず、ＬＥＤ出力処理においては、クリアデータ（００Ｈ）をセットし（Ｓ１０１）、このクリアデータをセグメント出力ポートへ出力する（Ｓ１０２）。」と記載され、段落【０６３１】には「Ｓ１０４の処理において、デジットカウンタの値が４未満であるか否かの判定を行い、デジットカウンタの値が４未満であれば、デジットカウンタの内容を＋１して更新し、デジットカウンタの値が４以上であれば、「０」をデジットカウンタにストアする（Ｓ１０４）。」と記載されているから、Ｓ１０４において「グループ指定データ記憶領域」（デジットカウンタ）の値を更新する前に、Ｓ１０２において点灯状態指定情報記憶領域（セグメント出力ポート）のデータを消灯状態とする情報に更新することが記載されているといえる。
　そして、本件特許請求の範囲の請求項１の「１単位のデータ」とは、同請求項１において「点灯状態指定情報記憶領域に記憶されている前回の割込み処理で記憶した１単位のデータ」とも特定されており、同明細書の段落【０７１１】に記載された「点灯状態指定情報記憶領域」（セグメント出力ポート）にセットされる、例えば「００１１１１１」というデータに相当するものであるから、「グループ指定データ記憶領域」（デジットカウンタ）で更新する０から４までの値と異なることは明らかである。
　よって、訂正事項１は、願書に添付した明細書の上記の各段落の記載に基づくものであって、願書に添付した明細書、特許請求の範囲又は図面（以下「願書に添付した明細書等」という。）のすべてを総合することにより導かれる技術的事項との関係において新たな技術的事項を導入するものではなく、願書に添付した明細書等に記載した事項の範囲内においてされたものである。
　また、訂正事項１は、上記アで検討したとおり、明瞭でない記載の釈明を目的とするものであり、上記のとおり願書に添付した明細書の記載を参酌すれば、訂正の前後で特許請求の範囲に記載された発明の拡張又は変更はないから、実質上特許請求の範囲を拡張し、又は変更するものでもない。
　したがって、訂正事項１は、特許法第１２６条第５項及び第６項の規定に適合する。
（２）訂正事項２について
ア　訂正の目的について
　訂正事項２は、「前回の割込み処理で記憶した１単位のデータ」を、「消灯状態とする情報に更新」することについて、「（その）後、今回の割込み処理において作成した１単位のデータに更新」するという限定事項を付加するものであるから、特許法第１２６条第１項ただし書き第１号に掲げる、特許請求の範囲の減縮を目的とするものである。
イ　新規事項の有無及び特許請求の範囲の拡張又は変更について
　願書に添付した明細書の段落【０７０９】には「割込み処理において、点灯パターン選択情報記憶領域となる作業領域の情報（データ）を更新し、１回の遊技進行割込み処理において、複数の点灯パターンテーブル（デジットＮセグメントテーブルからＳ１２１〜Ｓ１２９の間の処理で使用するテーブル）を参照する。そして、点灯パターン選択情報（作業領域のデータ）のデータ列をオフセットとして複数の点灯パターンテーブルの内の１つから点灯パターン（抽出した１単位データ列）を読出し、読み出した値を順次以前の処理までに作成したセグメントデータと論理和演算を行うことによって、主制御表示装置５３に出力されるセグメントデータを生成する（図２３中のＳ１２７参照）。」と記載されているから、Ｓ１２７において点灯パターン選択情報記憶領域となる作業領域の情報（データ）を更新し１単位のデータ列を生成することが記載されているといえる。そして、これは上記（１）イで検討したＳ１０２の点灯状態指定情報記憶領域（セグメント出力ポート）のデータを消灯状態とする情報に更新した後であることが分かる。
　よって、訂正事項２は、願書に添付した明細書の記載に基づくものであって、願書に添付した明細書等のすべてを総合することにより導かれる技術的事項との関係において新たな技術的事項を導入するものではなく、願書に添付した明細書等に記載した事項の範囲内においてされたものである。
　また、訂正事項２は、上記アで検討したとおり、特許請求の範囲の減縮を目的とするものであり、訂正の前後で特許請求の範囲に記載された発明の拡張又は変更はないから、実質上特許請求の範囲を拡張し、又は変更するものでもない。
　したがって、訂正事項１は、特許法第１２６条第５項及び第６項の規定に適合する。
ウ　独立特許要件について
　訂正事項２による訂正後の特許請求の範囲に記載された事項により特定される発明について、特許出願の際独立して特許を受けることができないとする理由は見いだせない。
　したがって、訂正事項２は、特許法第１２６条第７項の規定に適合する。
（３）訂正事項３、４について
ア　訂正の目的について
　訂正事項３、４は、本件特許請求の範囲における請求項１を訂正事項１、２のとおりに訂正することに伴い、特許請求の範囲と発明の詳細な説明との整合を図るために、願書に添付した明細書の記載を訂正するものであるから、特許法第１２６条第１項ただし書き第３号に掲げる、明瞭でない記載の釈明を目的とするものである。　
イ　新規事項の有無及び特許請求の範囲の拡張又は変更について
　そして、訂正事項３、４は、願書に添付した明細書の記載に基づくものであって、願書に添付した明細書等のすべてを総合することにより導かれる技術的事項との関係において新たな技術的事項を導入するものではなく、願書に添付した明細書等に記載した事項の範囲内においてされたものである。
　また、訂正事項３、４は、訂正の前後で特許請求の範囲に記載された発明の拡張又は変更はないから、実質上特許請求の範囲を拡張し、又は変更するものでもない。
　したがって、訂正事項３、４は、特許法第１２６条第５項及び第６項の規定に適合する。
　
４　むすび
　以上のとおりであるから、本件訂正審判の請求における訂正事項１、３、４は、特許法第１２６条第１項ただし書き第３号に掲げる事項を目的とし、かつ、同条第５項及び第６項の規定にも適合し、訂正事項２は特許法第１２６条第１項ただし書き第１号に掲げる事項を目的とし、かつ、同条第５項、第６項及び第７項の規定にも適合する。
　よって、結論のとおり審決する。